(57)【要約】【課題】壁体にしっかりと固定でき、製造及び取り付け作業が容易で、壁体側への雨水等の侵入を容易に抑制できるコーナー用見切部材を提供することを目的とする。【解決手段】壁体に取り付けられるサイディング材の周縁部を覆う、コーナー部に設置されるコーナー用見切部材１であって、壁体に取り付けられるベース板部１０と、ベース板部１０と対向して設けられ、サイディング材の周縁部を覆うカバー板部１２と、カバー板部１２からベース板部１０側に立設し、かつ前記コーナー部に沿って延び、ベース板部１０側の端部の一部がベース板部１０と接続されたコーナー壁部１４と、を備え、カバー板部１２側から正面視したときにベース板部１０がカバー板部１２からはみ出している、コーナー用見切部材１。【選択図】図１
2016094768.tif 000002
【特許請求の範囲】
【請求項１】
壁体に取り付けられるサイディング材の周縁部を覆う、コーナー部に設置されるコーナー用見切部材であって、
前記壁体に取り付けられるベース板部と、
前記ベース板部と対向して設けられ、前記サイディング材の周縁部を覆うカバー板部と、
前記カバー板部から前記ベース板部側に立設し、かつ前記コーナー部に沿って延び、前記ベース板部側の端部の少なくとも一部が前記ベース板部と接続されたコーナー壁部と、を備え、
前記カバー板部側から正面視したときに前記ベース板部が前記カバー板部からはみ出している、コーナー用見切部材。
【発明の詳細な説明】
【技術分野】
【０００１】
本発明は、コーナー用見切部材に関する。
【背景技術】
【０００２】
建築物や構造物等の外壁には、外装化粧材としてサイディング材が取り付けられることが多い。サイディング材としては、耐久性、防錆性、撥水性、耐衝撃性、軽量性、施工性等の点から、塩化ビニル樹脂等の合成樹脂で形成される合成樹脂系サイディング材が広く用いられている。このようなサイディング材は特定の大きさのものが量産され、通常、建築物等の外壁に複数のサイディング材が並べて取り付けられる。
【０００３】
一般に、外壁における窓枠の周囲等で生じるサイディング材の切れ目部分には、サイディング材の周縁部を覆い隠す見切部材が設置される。例えば、図８に示すように、正面視矩形状の窓枠２００の周囲に、見切部材としてＪチャンネル部材１００が設置される。
Ｊチャンネル部材１００は、長方形の帯状の側壁部１１２と、側壁部１１２の一方の端部から立ち上がり、壁体に取り付けられる取付板部１１０と、側壁部１１２の他方の端部から取付板部１１０と同じ方向に立ち上がり、先端に折り返し部が設けられたカバー部１１４と、を備えている。Ｊチャンネル部材１００においては、側壁部１１２が窓枠２００に沿うように設置された状態で取付板部１１０が胴縁等の施工面２１０にビス等で固定される。また、窓枠２００の周囲に取り付けられたＪチャンネル部材１００における取付板部１１０とカバー部１１４の間にサイディング材の周縁部が嵌め込まれる。
【０００４】
窓枠２００のコーナー部２２０においては、気温等によるＪチャンネル部材１００の伸縮によって、長さ方向が互いに交差する関係の２本のＪチャンネル部材１００の端部同士が接触して変形したり、反対に大きく間が空いて見栄えが悪くなったりする問題がある。そこで、コーナー部２２０においては、長さ方向が互いに交差する関係の２本のＪチャンネル部材１００の端部同士をある程度離間するように設け、それら２本のＪチャンネル部材１００の端部を覆うコーナー用見切部材が設置される。
【０００５】
コーナー用見切部材としては、例えば、下記の（ｉ）、（ｉｉ）のものが挙げられる。
（ｉ）第１嵌合突起が設けられた正面視Ｌ字状の基板と、第２嵌合突起が設けられた正面視Ｌ字状のコーナー用カバー部と、を備えるコーナー用見切部材（例えば、特許文献１）。
（ｉｉ）正面視Ｌ字状のコーナー用カバー部と、該コーナー用カバー部の内面側に設けられた正面視Ｌ字状の受け部材とを備え、前記コーナー用カバー部と受け部材との間にＪチャンネル部材のカバー部を受け入れて挟持できる隙間が形成されたコーナー用見切部材（例えば、特許文献２）。コーナー用カバー部と受け部材とは、それらの角部分においてピン等で固定される。
【０００６】
コーナー用見切部材（ｉ）の場合、施工現場においては、例えば窓枠の周囲の壁体にＪチャンネル部材をビス等で固定する。次いで、窓枠のコーナー部において、互いに長さ方向が交差する関係の２本のＪチャンネル部材の各端部におけるカバー部の内面側に基板を配置し、さらに該カバー部の外面側にコーナー用カバー部を配置して、第１嵌合突起と第２嵌合突起を嵌合させる。このように、コーナー用見切部材（ｉ）は、基板とコーナー用カバー部で２本のＪチャンネル部材のカバー部を挟持させることでコーナー部に設置する。
しかし、このような２つの部材を嵌合させて装着するコーナー用見切部材（ｉ）では、予期せず基板からコーナー用カバー部が外れるおそれがある。
【０００７】
コーナー用見切部材（ｉｉ）の場合、施工現場においては、例えば窓枠の対向する側部の壁体に２本のＪチャンネル部材をビス等で固定する。次いで、窓枠の上部に取り付けるＪチャンネル部材の両端部に、受け部材とコーナー用カバー部の隙間にＪチャンネル部材のカバー部が挿入されるように２つのコーナー用見切部材（ｉｉ）を装着する。次いで、Ｊチャンネル部材の両端部に装着されたコーナー用見切部材（ｉｉ）が、窓枠の両方の側部に固定された各々のＪチャンネル部材の上端部に装着されるように上方から窓枠の上部に設置し、窓枠の上部においてＪチャンネル部材を壁体にビス等で固定する。窓枠の下部においても同様にＪチャンネル部材とコーナー用見切部材（ｉｉ）を装着して、Ｊチャンネル部材を壁体にビス等で固定する。
【０００８】
コーナー用見切部材（ｉｉ）は、受け部材とコーナー用カバー部とが固定されているため、装着後にそれらが外れることがない。しかし、前述のように、窓枠の上部又は下部に取り付けるＪチャンネル部材の両端部にコーナー用見切部材（ｉｉ）を装着した状態で、窓枠の側部に固定されたＪチャンネル部材の上端部又は下端部にそれらを装着するため、取り付け作業が煩雑であり、また各部材の寸法精度の要求も厳しくなる。
【０００９】
また、コーナー部２２０においては、窓枠２００の上部に固定されたＪチャンネル部材１００上に溜まった雨水等が、窓枠２００と、窓枠２００の側部に固定されたＪチャンネル部材１００の隙間から壁体側に流れ込む問題がある。該問題への対策としては、窓枠２００の上部に固定するＪチャンネル部材１００における側壁部１１２の端部から下方に延びる板片を設け、該板片を窓枠２００の側部に固定したＪチャンネル部材１００における側壁部１１２上に被せるように設置することが提案されている（例えば、特許文献３）。該板片を設けることで、上部のＪチャンネル部材１００上の雨水が板片をつたって側部のＪチャンネル部材１００の側壁部１１２上に流れ落ちるため、Ｊチャンネル部材と窓枠の隙間から雨水が壁体側に侵入することを抑制できる。
しかし、該板片を設ける方法は、Ｊチャンネル部材の構成が複雑になり製造が困難になるうえ、取り付け作業も難しくなる。
【先行技術文献】
【特許文献】
【００１０】
【特許文献１】特開２００６−１３８１３１号公報
【特許文献２】特開２０１２−２５５３３２号公報
【特許文献３】特開２００８−０６３８５４号公報
【発明の概要】
【発明が解決しようとする課題】
【００１１】
本発明は、壁体にしっかりと固定でき、製造及び取り付け作業が容易で、壁体側への雨水等の侵入を容易に抑制できるコーナー用見切部材を提供することを目的とする。
【課題を解決するための手段】
【００１２】
本発明のコーナー用見切部材は、壁体に取り付けられるサイディング材の周縁部を覆う、コーナー部に設置されるコーナー用見切部材であって、前記壁体に取り付けられるベース板部と、前記ベース板部と対向して設けられ、前記サイディング材の周縁部を覆うカバー板部と、前記カバー板部から前記ベース板部側に立設し、かつ前記コーナー部に沿って延び、前記ベース板部側の端部の少なくとも一部が前記ベース板部と接続されたコーナー壁部と、を備え、前記カバー板部側から正面視したときに前記ベース板部が前記カバー板部からはみ出している。
【発明の効果】
【００１３】
本発明は、コーナー用見切部材は、壁体にしっかりと固定でき、製造及び取り付け作業が容易で、壁体側への雨水等の侵入を容易に抑制できる。
【図面の簡単な説明】
【００１４】
【図１】本発明のコーナー用見切部材の一例を示した斜視図である。
【図２】図１のコーナー用見切部材の正面図である。
【図３】図１のコーナー用見切部材の背面図である。
【図４】図１のコーナー用見切部材の左側面図である。
【図５】窓枠のコーナー部に図１にコーナー用見切部材を固定した様子を示した斜視図である。
【図６】図５の窓枠の上部と側部にさらにＪチャンネル部材を設置した様子を示した斜視図である。
【図７】本発明のコーナー用見切部材の他の例を示した正面図である。
【図８】窓枠の周囲にＪチャンネル部材を設置する様子を示した斜視図である。
【発明を実施するための形態】
【００１５】
本発明のコーナー用見切部材は、壁体に取り付けられるサイディング材の周縁部を覆うために、窓枠等のコーナー部に設置されるコーナー用見切部材である。以下、本発明のコーナー用見切部材の一例を示して詳細に説明する。
【００１６】
本実施形態のコーナー用見切部材１は、図１〜４に示すように、壁体に取り付けられるベース板部１０と、ベース板部１０と対向して設けられ、サイディング材の周縁部を覆うカバー板部１２と、カバー板部１２からベース板部１０側に立設し、一部がベース板部１０と接続されたコーナー壁部１４と、を備えている。コーナー用見切部材１は、コーナー壁部１４が窓枠等の直角のコーナー部に沿うように設置される。
【００１７】
（ベース板部）
ベース板部１０は、壁体に取り付けられる板状の部分である。
ベース板部１０を壁体に取り付ける方法は、ネジ止め、ビス止め、くぎ打ち等が挙げられる。ベース板部１０には、ネジ止め、ビス止め、くぎ打ち等を簡便に実施するために取付孔を形成してもよい。
【００１８】
ベース板部１０は、コーナー壁部１４の角部分と接続されている。
ベース板部１０の正面視形状は、矩形におけるコーナー壁部１４と接続されている側の角部が矩形状に欠けた形状になっている。なお、ベース板部１０の正面視形状は、前記した形状には限定されず、適宜設定できる。
【００１９】
ベース板部１０は、カバー板部１２側から正面視したときに、ベース板部１０がカバー板部１２から外側にはみ出すようになっている。これにより、ベース板部１０におけるカバー板部１２からはみ出した部分にネジ止め、ビス止め、くぎ打ち等を行うことができる。
ベース板部１０におけるカバー板部１２からはみ出した部分の形状及び大きさは、ネジ止め、ビス止め、くぎ打ち等が簡便に行えるように適宜設定すればよい。
【００２０】
ベース板部１０を形成する材料としては、例えば、合成樹脂が挙げられる。具体的には、塩化ビニル樹脂、ポリカーボネート樹脂、ポリエチレン、ポリプロピレン等のポリオレフィン系樹脂、アクリロニトリル・ブタジエン・スチレン（ＡＢＳ）樹脂、アクリロニトリル・エチレンプロピレン系ゴム・スチレン（ＡＥＳ）樹脂、アクリロニトリル・スチレン（ＡＳ）樹脂、アクリロニトリル・アクリルゴム・スチレン（ＡＡＳ）樹脂等のアクリル系樹脂等が挙げられる。なかでも、ベース板部１０を形成する材料としては、加工性に優れ、自己消火性があり、強度が高く、低コストな点から、塩化ビニル樹脂が好ましい。
ベース板部１０を形成する材料には、必要に応じて、充填剤、強化材、顔料、加工助剤、熱安定剤、紫外線吸収剤等の添加剤を配合してもよい。
【００２１】
（カバー板部）
カバー板部１２は、サイディング材の周縁部を覆う板状の部分であり、ベース板部１０と対向して設けられている。カバー板部１２は、窓枠等のコーナー部の一方の側に配置される長方形状の第１カバー部１２ａと、該コーナー部の他方の側に配置される長方形状の第２カバー部１２ｂとを備えている。第１カバー部１２ａと第２カバー部１２ｂとは、それらがなす内角が直角となるように繋がっている。すなわち、カバー板部１２は、正面視でＬ字状に曲がった角帯状になっている。
【００２２】
カバー板部１２の幅及び長さは、適宜設定できる。
カバー板部１２の内角は、第１壁部１４ａと第２壁部１４ｂのなす角度と同じであり、この例では直角になっているが、コーナー用見切部材１を設置するコーナー部の角度に応じて適宜設定すればよい。例えば、窓枠等のコーナー部が丸みを帯びた形状の場合、カバー板部１２の正面視における形状を円弧状にすることができる。
【００２３】
カバー板部１２を形成する材料としては、例えば、ベース板部１０で挙げたものと同じものが挙げられる。カバー板部１２を形成する材料としては、加工性や耐候性に優れる点から、アクリル系樹脂が好ましい。カバー板部１２を形成する材料は、１種であってもよく、２種以上であってもよい。
カバー板部１２を形成する材料には、必要に応じて、充填剤、強化材、顔料、加工助剤、熱安定剤、紫外線吸収剤等の添加剤が配合されてもよい。
カバー板部１２の表面には、エンボス加工や装飾を施したフィルムをラミネート加工してもよく、塗料で加飾してもよい。
【００２４】
（コーナー壁部）
コーナー壁部１４は、カバー板部１２におけるベース板部１０と反対側の端部からベース板部１０側に立ち上がるように設けられた板状の部分である。コーナー壁部１４は、窓枠等のコーナー部の一方の側に配置される長方形状の第１壁部１４ａと、該コーナー部の他方の側に配置される長方形状の第２壁部１４ｂとを備えている。
【００２５】
第１壁部１４ａは、第１カバー部１２ａにおけるベース板部１０と反対側の端部から立ち上がるように設けられている。第２壁部１４ｂは、第２カバー部１２ｂにおけるベース板部１０と反対側の端部から立ち上がり、かつ第１壁部１４ａの一方の端部から第１壁部１４ａに対して垂直に延びるように設けられている。
このように、コーナー壁部１４は、窓枠等の直角のコーナー部に沿うように、直角に屈曲した形状になっている。コーナー用見切部材１を壁体に取り付ける際には、コーナー壁部１４におけるベース板部１０及びカバー板部１２が位置する側と反対側の表面１４ｃが、窓枠等の直角のコーナー部に当接するように設置される。
【００２６】
なお、コーナー壁部１４の形状は、直角に屈曲した形状には限定されず、設置するコーナー部の形状に合わせて適宜決定すればよい。例えば、窓枠等のコーナー部の角度が１２０°の場合は、第１壁部１４ａと第２壁部１４ｂのなす角度を１２０°とすればよい。また、窓枠等のコーナー部が丸みを帯びた形状の場合は、コーナー壁部１４を該コーナー部に沿うように湾曲した形状の板材とすればよい。
【００２７】
コーナー壁部１４を形成する材料としては、例えば、ベース板部１０で挙げたものと同じものが挙げられる。コーナー壁部１４を形成する材料としては、加工性や耐候性に優れる点から、アクリル系樹脂が好ましい。コーナー壁部１４を形成する材料は、１種であってもよく、２種以上であってもよい。
コーナー壁部１４を形成する材料には、必要に応じて、充填剤、強化材、顔料、加工助剤、熱安定剤、紫外線吸収剤等の添加剤が配合されてもよい。
【００２８】
以上のように、コーナー用見切部材１は、窓枠等の出隅部（コーナー部）に設置されるものであり、正面視Ｌ字状のカバー板部１２の内側の端部にコーナー壁部１４が設けられ、カバー板部１２側から正面視したときにベース板部１０がカバー板部１２よりも外側にはみ出している。
【００２９】
（製造方法）
コーナー用見切部材１の製造方法は、特に限定されず、例えば、射出成形等が挙げられる。
【００３０】
（施工方法）
コーナー用見切部材１を用いた施工方法の一例として、Ｊチャンネル部材１００を用いる場合について説明する。Ｊチャンネル部材１００は、図６に示すように、壁体に取り付けられる取付板部１１０と、取付板部１１０の一方の端部から立設する側壁部１１２と、側壁部１１２の先端部から取付板部１１０側に延び、先端に折り返し部が設けられたカバー部１１４と、を備えている。
【００３１】
まず、図５に示すように、窓枠２００における４つのコーナー部２２０のそれぞれに、コーナー壁部１４がコーナー部２２０に沿うようにコーナー用見切部材１を設置し、ベース板部１０にビス止め２３０を実施してコーナー用見切部材１を壁体に固定する。
次いで、図６に示すように、窓枠２００の上部、下部及び両方の側部のそれぞれにＪチャンネル部材１００を設置し、取付孔１１０ａを利用してビス止め等で壁体に固定する。コーナー部２２０の両側のＪチャンネル部材１００は、その長さ方向の端部がコーナー用見切部材１におけるカバー板部１２の第１カバー部１２ａ及び第２カバー部１２ｂでそれぞれ覆われるように配置して固定する。
【００３２】
窓枠２００の上部に固定されるＪチャンネル部材１００の長さ方向の端部の横方向における位置は、コーナー用見切部材１の第１カバー部１２ａで覆われる範囲内で、窓枠２００の側部に固定されたＪチャンネル部材１００の側壁部１１２よりも外方に突き出るようすることが好ましい。これにより、窓枠２００の上部のＪチャンネル部材１００上に溜まった雨水等が、該Ｊチャンネル部材１００の長さ方向の端部から、窓枠２００の側部に固定されたＪチャンネル部材１００における側壁部１１２よりも外方に垂れ落ちる。そのため、窓枠２００の上部のＪチャンネル部材１００上に溜まった雨水等が、コーナー用見切部材１におけるコーナー壁部１４と窓枠２００の側部に固定されたＪチャンネル部材１００との隙間を通じて壁体側に侵入することを抑制できる。
【００３３】
窓枠２００の側部に固定されるＪチャンネル部材１００は、その上端部が、コーナー用見切部材１におけるコーナー壁部１４の角部に達しないように配置する。これにより、気温等によって側部のＪチャンネル部材１００が伸縮しても、上部のＪチャンネル部材１００と接触して変形することを抑制できる。
窓枠２００の下部に固定されるＪチャンネル部材１００も、その両端部が、コーナー用見切部材１におけるコーナー壁部１４の角部に達しないように配置する。
【００３４】
次いで、窓枠２００の周囲に取り付けられたＪチャンネル部材１００における取付板部１１０とカバー部１１４の間にサイディング材の周縁部を嵌め込んで固定する。これにより、窓枠２００の周囲においては、サイディング材の周縁部はコーナー用見切部材１及びＪチャンネル部材１００によって覆われる。
【００３５】
以上説明した本発明のコーナー用見切部材は、壁体に固定されるベース板部を備えるため、窓枠等のコーナー部に配置した状態で壁体にしっかりと固定できる。また、施工時において、Ｊチャンネル部材等と予め組み合わせた状態で取り付ける必要がないため、取り付け作業が容易であり、また高度な寸法精度も要求されず製造も容易である。さらに、本発明のコーナー用見切部材を用いる場合は、Ｊチャンネル部材等を複雑な構造としなくても、窓枠等の上部に設置されるＪチャンネル部材等の長さ方向の端部の位置を調節するだけで、壁体側への雨水等の侵入を容易に抑制できる。
また、前述したコーナー用見切部材（ｉ）、（ｉｉ）のような、壁体に直接固定しないコーナー用見切部材では、気温等によるＪチャンネル部材等の伸縮によって、コーナー用見切部材が動いて傾き、見栄えが悪くなるおそれもある。しかし、本発明のコーナー用見切部材は、ベース板部がビス等で壁体に固定されており、気温等によりＪチャンネル部材等が伸縮しても動かないため、傾いて見栄えが悪くなることがない点でも有効である。
【００３６】
なお、本発明のコーナー用見切部材は、前記したコーナー用見切部材１には限定されない。例えば、ベース板部の正面視形状がカバー板部と同様のＬ字状になっており、コーナー壁部におけるベース板部側の端部が全て前記ベース板部と接続されているものであってもよい。
【００３７】
また、コーナー用見切部材１は窓枠等の出隅部に設置されるものであったが、入隅部に設置されるものであってもよい。具体的には、例えば、図７に例示したコーナー用見切部材２であってもよい。
コーナー用見切部材２は、窓枠等の入隅部に対応して、正面視Ｌ字状のカバー板部１２Ａの外側の端部にコーナー壁部１４Ａが設けられ、カバー板部１２Ａ側から正面視したときにベース板部１０Ａがカバー板部１２Ａよりも内側にはみ出している以外は、コーナー用見切部材１と同じである。
【００３８】
また、本発明のコーナー用見切部材は、窓枠等の上部のコーナー部に設ける場合、上部に配置される第１壁部１４ａにおける角部側の端部に上方に突出する堰を設け、かつ第１カバー部における該堰よりも先端側に貫通穴を形成して、雨水等が前記堰でせき止められつつ前記貫通穴からカバー板部の外側に流れ出るようにしてもよい。この場合は、窓枠等の上部に設置されるＪチャンネル部材等は、その端部が前記堰まで到達しないように配置する。
【符号の説明】
【００３９】
１、２  コーナー用見切部材
１０  ベース板部
１２  カバー板部
１４  コーナー壁部
１００  Ｊチャンネル部材
２００  窓枠
２２０  コーナー部
【図１】
2016094768.tif 000003
【図２】
2016094768.tif 000004
【図３】
2016094768.tif 000005
【図４】
2016094768.tif 000006
【図５】
2016094768.tif 000007
【図６】
2016094768.tif 000008
【図７】
2016094768.tif 000009
【図８】
2016094768.tif 000010